(57)【要約】 【課題】光軸位置と傾きの両方の調整を高精度、かつ簡易・迅速に行うことが可能で、かつ、光ピックアップ装置の小型、薄型化に適したレーザーダイオードの光軸調整機構を提供することにある。【解決手段】ハウジング１と、ハウジング１の一表面部１ａに沿って移動可能に保持されるレーザーダイオードホルダー受け台４と、このレーザーダイオードホルダー受け台４に傾動可能に保持され、かつレーザーダイオード２を支持するレーザーダイオードホルダー３と、ハウジング１に、これらレーザーダイオードホルダー受け台４およびレーザーダイオードホルダー３を移動可能に押圧して保持する第１押え板５および第２押え板６とを備える。【選択図】図３
2007102927.tif 000002
【特許請求の範囲】
【請求項１】
筐体であるハウジングと、光源としてのレーザーダイオードと、前記レーザーダイオードを支持し、かつ、該レーザーダイオードの光軸位置および傾きを調整する支持手段と、前記支持手段を前記ハウジングに対して移動可能な状態で保持することが可能な押圧手段とを有することを特徴とするレーザーダイオードの光軸調整機構。
【請求項２】
前記支持手段は、レーザーダイオードを支持し、かつ傾動可能なレーザーダイオードホルダーと、該レーザーダイオードホルダーを保持し、かつハウジングの一表面部に沿って移動可能なレーザーダイオードホルダー受け台とから構成されることを特徴とする請求項１に記載のレーザーダイオードの光軸調整機構。
【請求項３】
前記レーザーダイオードホルダーには、前記レーザーダイオードホルダー受け台に臨む一曲面部および押圧手段に臨む他曲面部が形成され、これら一曲面部および他曲面部は、レーザーダイオードの発光点を通って該レーザーダイオードの光軸に垂直な直線を中心軸とする仮想円柱体の曲面に略沿って形成されていることを特徴とする請求項２に記載のレーザーダイオードの光軸調整機構。
【請求項４】
前記仮想円柱体は、中心軸を共有する第一の仮想円柱体および第二の仮想円柱体の二つがあり、第一の仮想円柱体は第二の仮想円柱体よりも曲率半径が小さく、前記レーザーダイオードホルダーの一曲面部は第一の仮想円柱体の曲面に略沿って形成され、前記他曲面部は第二の仮想円柱体の曲面に略沿って形成されていることを特徴とする請求項３に記載のレーザーダイオードの光軸調整機構。
【請求項５】
前記レーザーダイオードホルダーの一曲面部は、前記第一の仮想円柱体と中心軸を共有する半円柱形状であることを特徴とする請求項４に記載のレーザーダイオードの光軸調整機構。
【請求項６】
前記レーザーダイオードホルダーの他曲面部は、前記第二の仮想円柱体の中心軸から離れかつ該中心軸と平行な第一の仮想平面と、前記第二の仮想円柱体の中心軸から該第一の仮想平面と同一方向に更に離れかつ該第一の仮想平面と平行な第二の仮想平面とによって挟まれた前記第二の仮想円柱体の領域が示す形状であることを特徴とする請求項４または請求項５に記載のレーザーダイオードの光軸調整機構。
【請求項７】
前記レーザーダイオードホルダーの他曲面部は、前記押圧手段から力を受ける領域を少なくとも４箇所以上有することを特徴とする請求項３から請求項６のいずれかに記載されたレーザーダイオードの光軸調整機構。
【請求項８】
前記レーザーダイオードホルダー受け台には、前記レーザーダイオードホルダーの一曲面部に臨む当接面に溝部が形成されていて、前記レーザーダイオードホルダーが傾動可能なように、該溝部に前記レーザーダイオードホルダーの一曲面部が載置されることを特徴とする請求項３から請求項７のいずれかに記載されたレーザーダイオードの光軸調整機構。
【請求項９】
前記溝部は、円柱面形状に形成されていることを特徴とする請求項８に記載のレーザーダイオードの光軸調整機構。
【請求項１０】
前記溝部は、Ｖ字形状に形成されていることを特徴とする請求項８に記載のレーザーダイオードの光軸調整機構。
【請求項１１】
前記溝部は、角柱形状に形成されており、前記レーザーダイオードホルダーの一曲面部はこの角柱形状を有する溝の二つのかどに当接して位置決めされることを特徴とする請求項８に記載のレーザーダイオードの光軸調整機構。
【請求項１２】
前記押圧手段は、弾性変形可能なばね材から成ることを特徴とする請求項１から請求項１１のいずれかに記載されたレーザーダイオードの光軸調整機構。
【請求項１３】
請求項１から請求項１２のいずれかに記載されたレーザーダイオードの光軸調整機構を備える光ピックアップ装置。
【発明の詳細な説明】
【技術分野】
【０００１】
本発明は、光ピックアップ装置の光源として適用されるレーザーダイオードの光軸調整機構および光ピックアップ装置に関する。
【背景技術】
【０００２】
近年、光記録媒体の種類は多様となっており、例えば、コンパクト・ディスク（略称ＣＤ：Compact Disk）やデジタル・バーサタイル・ディスク（略称ＤＶＤ：Digital Versatile Disk）およびブルーレイ・ディスク（略称ＢＤ：Blu-ray Disk）などの光記録媒体がよく知られており、これら各種の光記録媒体に対して情報の記録、再生、消去を行う光ピックアップ装置が実用化されている。このような光ピックアップ装置の光源として、レーザーダイオードが広く用いられている。前記レーザーダイオードは、半導体であるレーザーダイオード素子と該レーザーダイオード素子を保護するための筐体から構成されており、該レーザーダイオードの筐体部分を直接、または前記筐体部分を保持するためのホルダーを取り付けた後に、前記光ピックアップ装置に搭載する。その際、前記レーザーダイオードから出射されるレーザービームの光強度分布の中心軸、すなわち光軸を、光ピックアップ装置に先に搭載した光学部品の光軸に合致させるための調整工程を有するのが一般的である。その理由は次の通りである。前記レーザーダイオード素子を筐体に搭載する際に取り付け誤差が少なからず発生する為に、前記筐体内にて該レーザーダイオード素子の発光点の位置や傾きが設計値と異なった状態になってしまう。その結果、前記筐体内のレーザーダイオード素子から出射されたレーザービームの光軸位置や傾きも設計値とは異なり、前記光ピックアップ装置に先に搭載した光学部品の光軸と一致せず、光ピックアップ装置としての性能が十分に得られなくなってしまう。よって、前記取り付け誤差を補正するための前記調整工程が必要となるのである。
【０００３】
前記調整工程のうち、光軸の傾きを精度よく、かつ簡易・迅速に行うための方法や機構が、従来提案されている。（例えば特許文献１、特許文献２）
【特許文献１】特開平５−８１６９３号公報
【特許文献２】特開２００３−４５０４１号公報
【０００４】
前記文献について具体的に説明すると、特許文献１では例えば公報の段落番号（００１７）に記載されているように、レーザーダイオードを支持する可動座と、この可動座を支持する固定座とが互いに球面接触するよう形成された光軸調整機構部を備えるように光ピックアップ装置が構成されている。その結果、レーザーダイオードは任意の角度方向に連続して相対運動することができ、精度の高い光軸調整が可能としている。しかしながらその反面、本例のような球面座を用いた方式では、どうしても発光点中心から回動のための摺動面までの距離が大きくなってしまうため、光ピックアップ装置の小型、薄型化には不利であるという欠点も有している。これに対し、特許文献２では前記欠点を克服する方法が記載されている。具体的に示すと、例えば公報の段落番号（００４１）に記載されているように、光軸調整機構に円筒面部または球面部と平面部を設け、発光の中心点を中心として、円筒面または球面を、平面部上を摺動させて光軸のあおりを調整しているので、光軸調整機構を小型で精度良く構成することが可能としている。また、ホルダーの円筒部および受けのＶ字状を構成する２つの平面の構成により、レーザーダイオードの発光点を中心にして傾きを調整することにより、簡単な調整作業で十分な特性を得ることができると記載されている。
【発明の開示】
【発明が解決しようとする課題】
【０００５】
しかしながら前記特許文献２の方法においても、先に説明した調整工程のうち、光軸の傾き調整のための機構および方法についての記載があるだけで、もう一つの調整、すなわち、前記レーザーダイオード素子の発光点の位置誤差を補正するために行う光軸位置の調整については記載されていない。従って、光軸位置の調整のためには、別途、専用の冶具や位置調整に適した構造のレーザーダイオードホルダー等が必要になる。特に、非常に高い記録密度を有するＢＤのような光記録媒体に対して情報の記録、再生、消去を行うことが可能な光ピックアップ装置を製造するには、前記光軸位置の調整も高精度、かつ簡易・迅速に行うことが不可欠である。しかしながら、前記特許文献２に記載された光軸調整機構に、光軸の位置調整に適した構造のレーザーダイオードホルダー等を単に追加しただけでは、調整機構部分全体として複雑かつ大型化してしまい、簡易・迅速な光軸調整は困難、更には当初有していた光ピックアップ装置の小型、薄型化が可能という特徴まで失ってしまうという問題が発生する。
【０００６】
従って、本発明の目的は、前記光軸位置と傾きの両方の調整に対し、高精度、かつ簡易・迅速に行うことが可能で、光ピックアップ装置の小型、薄型化に適したレーザーダイオードの光軸調整機構およびこの光軸調整機構を有する光ピックアップ装置を提供することにある。
【課題を解決するための手段】
【０００７】
上記目的を達成するために、本発明は、筐体であるハウジングと、光源としてのレーザーダイオードと、前記レーザーダイオードを支持し、かつ、該レーザーダイオードの光軸位置および傾きを調整する支持手段と、前記支持手段を前記ハウジングに対して移動可能な状態で保持することが可能な押圧手段とを有することを特徴とする。
【０００８】
前記支持手段は、レーザーダイオードを支持し、かつ傾動可能なレーザーダイオードホルダーと、該レーザーダイオードホルダーを保持し、かつハウジングの一表面部に沿って移動可能なレーザーダイオードホルダー受け台とから構成されることが望ましい。
【０００９】
また、前記レーザーダイオードホルダーには、前記レーザーダイオードホルダー受け台に臨む一曲面部および押圧手段に臨む他曲面部が形成され、これら一曲面部および他曲面部は、レーザーダイオードの発光点を通って該レーザーダイオードの光軸に垂直な直線を中心軸とする仮想円柱体の曲面に略沿って形成されていることが望ましい。
【００１０】
更に、前記仮想円柱体は、中心軸を共有する第一の仮想円柱体および第二の仮想円柱体の二つがあり、第一の仮想円柱体は第二の仮想円柱体よりも曲率半径が小さく、前記レーザーダイオードホルダーの一曲面部は第一の仮想円柱体の曲面に略沿って形成され、前記他曲面部は第二の仮想円柱体の曲面に略沿って形成されていることが望ましい。
【００１１】
また、前記レーザーダイオードホルダーの一曲面部は、前記第一の仮想円柱体と中心軸を共有する半円柱形状であることが望ましい。
【００１２】
更に、前記レーザーダイオードホルダーの他曲面部は、前記第二の仮想円柱体の中心軸から離れかつ該中心軸と平行な第一の仮想平面と、前記第二の仮想円柱体の中心軸から該第一の仮想平面と同一方向に更に離れかつ該第一の仮想平面と平行な第二の仮想平面とによって挟まれた前記第二の仮想円柱体の領域が示す形状であることが望ましい。
【００１３】
また、前記レーザーダイオードホルダーの他曲面部は、前記押圧手段から力を受ける領域を少なくとも４箇所以上有することが望ましい。
【００１４】
更に、前記レーザーダイオードホルダー受け台には、前記レーザーダイオードホルダーの一曲面部に臨む当接面に溝部が形成されていて、前記レーザーダイオードホルダーが傾動可能なように、該溝部に前記レーザーダイオードホルダーの一曲面部が載置されることが望ましい。
【００１５】
また、前記溝部は、円柱面形状に形成されていることが望ましい。
【００１６】
更に、前記溝部は、Ｖ字形状面に形成されていることが望ましい。
【００１７】
また、前記溝部は、角柱形状に形成されており、前記レーザーダイオードホルダーの一曲面部はこの角柱形状を有する溝の二つのかどに当接して位置決めされることが望ましい。
【００１８】
更に、前記押圧手段は、弾性変形可能なばね材から成ることが望ましい。
【００１９】
更に本発明は、前記のいずれかに記載されたレーザーダイオードの光軸調整機構を備える光ピックアップ装置であることが望ましい。
【発明の効果】
【００２０】
以上説明したように、レーザーダイオードの光軸位置および傾きの両方に対する調整機構を実現するという課題は、レーザーダイオードを支持し、かつ、該レーザーダイオードの光軸位置および傾きを調整する支持手段と、前記支持手段を前記ハウジングに対して移動可能な状態で保持することが可能な押圧手段とを有することで解決される。
【００２１】
すなわち、前記支持手段は前記押圧手段による押圧力によって常にハウジングに押圧されているので、ハウジングに対して相対的に移動が可能であり、移動後もその状態を保持できる構造となっている。
【００２２】
また、前記支持手段は次の二つの構成をとっている。一つはレーザーダイオードを支持し、かつ傾動可能なレーザーダイオードホルダーであり、もう一つは該レーザーダイオードホルダーを保持し、かつハウジングの一表面部に沿って移動可能なレーザーダイオードホルダー受け台である。このような構成をとることによって、レーザーダイオードの光軸位置の調整は前記レーザーダイオードホルダー受け台を移動させることにより達成され、該レーザーダイオードの光軸の傾き調整は、前記レーザーダイオードホルダーを傾動させることによって達成される。
【００２３】
更に、高精度の調整を迅速に行うことが可能で、かつ小型、薄型である光軸調整機構を実現するという課題は、次のような構成によって解決される。まず、レーザーダイオードホルダーに形成した前記一曲面部および前記他曲面部について、中心軸を共有し曲率半径が異なる二つの仮想円柱体の曲面に略沿ってそれぞれ形成されている。そして、曲率半径の小さい方の前記一曲面部は仮想円柱体と中心軸を共有する半円柱形状であり、曲率半径の大きい方の他曲面部は仮想円柱体の中心軸から離れかつ該中心軸と平行な第一の仮想平面と、円柱体の中心軸から該第一の仮想平面と同一方向に更に離れかつ該第一の仮想平面と平行な第二の仮想平面とによって挟まれた前記仮想円柱体の領域が示す形状とされている。
【００２４】
つまり、傾き調整機構に円柱面を使用することによって、高精度の傾き調整が可能となる。また、前記一曲面部と前記他曲面部の曲率半径を変えることによって、一曲面部は高精度の傾き調整に必要な円柱面を維持したまま小さく構成でき、小型化を達成できる。そして他曲面部においては、曲率半径を大きくすることにより前記押圧手段から力を受ける領域を拡大することができ、その結果、前記レーザーダイオードホルダーに加わる前記押圧手段からの押圧力も増大して、該レーザーダイオードホルダーをより安定に保持することが可能となる。更には、該他曲面部を、前記押圧手段による押圧力を受ける領域以外は円柱体を切欠いた形状にて構成することによって、小型化も達成できる。
【００２５】
これらの特徴より、傾き調整構造を有するレーザーダイオードホルダーを小型、薄型で構成できて、結果、光軸調整機構全体の小型、薄型化が可能となる。かつ、レーザーダイオードホルダーは安定に保持されるために、迅速に高精度の傾き調整を行うことが可能となる。
【００２６】
以上より、前記光軸位置と傾きの両方の調整に対し、高精度、かつ簡易・迅速に行うことが可能で、光ピックアップ装置の小型、薄型化に適したレーザーダイオードの光軸調整機構およびこの光軸調整機構を有する光ピックアップ装置の提供が実現できる。
【発明を実施するための最良の形態】
【００２７】
以下、本発明の実施形態を図面に基づき説明する。
【００２８】
図１は、本発明の第１の実施形態に係る光ピックアップ装置２０において、レーザーダイオード光軸調整機構１０の周囲を拡大図示した平面図である。図２は、図１における光ピックアップ装置２０をＸ方向から見た要部の切欠き図である。図３は、図２における光ピックアップ装置の要部のＹ−Ｙ断面図である。
【００２９】
光ピックアップ装置２０は、ＣＤ、ＤＶＤ、ＢＤ等の光記録媒体に対して、レーザーダイオードの光を照射して前記光記録媒体の記録面に情報を記録する、あるいは前記光記録媒体の記録面に書き込まれた情報を再生する装置である。該光ピックアップ装置２０は、光源としてのレーザーダイオード２と光軸調整機構１０、更にレンズやミラー等の光学部品にて構成された光学系（図示せず）と、前記レーザーダイオードから出射された光ビームを光記録媒体の所望位置に集光させるための機構部品（図示せず）、すなわち対物レンズをフォーカス方向およびトラック方向に移動可能とするためのアクチュエータ、および光記録媒体からの反射光を受光するための受光素子（図示せず）を備えている。
【００３０】
前記光軸調整機構１０は、主に、レーザーダイオードホルダー３と、レーザーダイオードホルダー受け台４と、押圧手段である第１押え板５および第２押え板６とを有し、光ピックアップ装置２０の筐体であるハウジング１に対して相対的に移動可能なように配置され、レーザーダイオード２の光軸の位置と傾きの両方を調整する。
【００３１】
ハウジング１の一表面部１ａには、レーザーダイオード２からの光路を確保すべく、少なくとも前記光路の妨げにならない程度の大きさの孔部９が形成されている。また、前記ハウジング１の一表面部１ａに沿ってレーザーダイオードホルダー受け台４が、一対の第２押え板６によって移動可能な状態で仮固定に保持されている。すなわち各第２押え板６は、例えば弾性変形可能なばね材から成り、その一端部がねじ８によってハウジング１に固定されるとともに、各第２押え板６の他端部がレーザーダイオードホルダー受け台４をハウジング１の表面１ａに押圧して保持するように構成されている。各第２押え板６の中間付近部はこれら一端部および他端部に対して直角に、かつレーザーダイオードホルダー受け台４の厚み分、曲げ形成されている。仮固定状態のレーザーダイオードホルダー受け台４を調整のために移動する際、この曲げ形成部分とレーザーダイオードホルダー受け台４とが接触しないように、該曲げ形成部分とレーザーダイオードホルダー受け台４間には隙間が設けられている。同様に、第２押え板６の他端部は切欠き形成され、前記他端部が後述する第１押え板５固定用のねじ７に接触しないように寸法が設計されている。
【００３２】
本構成によって、レーザーダイオードホルダー受け台４は、一対の第２押え板６の他端部によってハウジング１に押圧されて保持された状態にて、ハウジング１の一表面部１ａに沿って図１に示した矢印ａ方向および矢印ｂ方向に移動可能となっている。従って、レーザーダイオード２の光軸位置の調整は、レーザーダイオードホルダー受け台４を移動させることにより達成される。
【００３３】
更に、前記レーザーダイオードホルダー受け台４に傾動可能に保持され、かつレーザーダイオード２を支持するレーザーダイオードホルダー３が設けられている。
【００３４】
図３に示すように、前記レーザーダイオードホルダー３には、レーザーダイオードホルダー受け台４に臨む、半円柱状のホルダー受け台側円柱面凸部３ａが形成されているとともに、第１押え板５に臨む、部分円柱状の押え板側円柱面凸部３ｂが形成されている。すなわち、レーザーダイオードホルダー３は二つの曲面部を有し、ホルダー受け台側円柱面凸部３ａが一曲面部に相当し、押え板側円柱面凸部３ｂが他曲面部に相当する。
【００３５】
これらホルダー受け台側円柱面凸部３ａおよび押え板側円柱面凸部３ｂは、レーザーダイオード２の発光点を通って該レーザーダイオード２の光軸に垂直な直線を中心軸とする仮想円柱体の曲面に略沿って形成されている。ただし、ホルダー受け台側円柱面凸部３ａと押え板側円柱面凸部３ｂとは、曲率半径が異なるように形成されていて、具体的にはホルダー受け台側円柱面凸部３ａは、押え板側円柱面凸部３ｂよりも曲率半径が小さくなるように形成されている。
【００３６】
更に詳しく説明すると、ホルダー受け台側円柱面凸部３ａは前記仮想円柱体と中心軸を共有する半円柱形状であるが、押え板側円柱面凸部３ｂは半円柱形状とは異なった形状としている。その理由は次の通りである。すなわち、押え板側円柱面凸部３ｂを半円柱形状とした場合、ホルダー受け台側円柱面凸部３ａと押え板側円柱面凸部３ｂの中心軸が一致しているため、押え板側円柱面凸部３ｂの端部とレーザーダイオードホルダー受け台４とが接触して傾動動作ができなくなるからである。従って、光軸の傾き調整に必要な角度分は傾動が可能なように、レーザーダイオードホルダー３とレーザーダイオードホルダー受け台４との間に可動範囲分の隙間を設ける必要がある。押え板側円柱面凸部３ｂの形状を工夫する事によって、可動範囲分の隙間を確保している。
【００３７】
押え板側円柱面凸部３ｂの形状を更に具体的に説明すると次の通りである。半円柱形状である前記ホルダー受け台側円柱面凸部３ａと中心軸は同じで曲率半径の大きい仮想円柱体の曲面に略沿って形成されているが、前記可動範囲分の隙間を確保するために、レーザーダイオードホルダー受け台４側の面を切欠いている。切欠いた後の形状が、図３に示すように、その断面が略扇形となるような略扇形柱状に形成する。更には、レーザーダイオードホルダー３の小型化のため、前記略扇形の曲面を一部切欠いて平面状にしている。この平面部を挟むように構成された二つの曲面部が押え板側円柱面凸部３ｂである。
【００３８】
また、レーザーダイオードホルダー受け台４には、前記ホルダー受け台側円柱面凸部３ａに当接する円柱面凹部４ａが形成されている。ホルダー受け台側円柱面凸部３ａは円柱面凹部４ａに載置され、摺動可能に構成される。
【００３９】
レーザーダイオードホルダー受け台４には、一対の第１押え板５が、それぞれねじ７によって固定されている。各第１押え板５は、例えば弾性変形可能なばね材から成り、その一端部がねじ７によってレーザーダイオードホルダー受け台４に固定されるとともに、各第１押え板５の他端部がレーザーダイオードホルダー３の押え板側円柱面凸部３ｂを押圧して保持するように構成されている。各第１押え板５の他端部は、前記一端部に比べ幅が広くなっており、レーザーダイオードホルダー３の押え板側円柱面凸部３ｂを挟み込む構成にて押圧できるように折り曲げ加工がなされている。本構成によりレーザーダイオードホルダー３は、一対の第１押え板５の他端部から受ける押圧力、つまり、前記押え板側円柱面凸部３ｂを挟み込む構成にて押圧できるように折り曲げ加工を施しているため一つの他端部につき２箇所の計４箇所から受ける押圧力によって、レーザーダイオードホルダー受け台４に保持される。
【００４０】
以上の構成によって、レーザーダイオードホルダー３は、レーザーダイオード２の発光点を中心に、レーザーダイオードホルダー受け台４に対して傾動可能となる。
【００４１】
次に、調整方法について説明する。まず、レーザーダイオード２をハウジング１の一表面部１ａに沿って移動させる光軸位置の調整を行う場合、光軸調整を行うための冶具であるキャッチャー（図示せず）にてレーザーダイオードホルダー３を掴み、所望の位置まで移動させる。このとき、レーザーダイオード２はレーザーダイオードホルダー３に、例えば接着剤にて接着固定されている。レーザーダイオードホルダー３は第１押え板５にてレーザーダイオードホルダー受け台４に保持されている。更にレーザーダイオードホルダー受け台４は第２押え板６によって移動可能な状態でハウジング１に保持されており、ハウジング１の一表面部１ａに対して摺動可能なように配置されている。結果、レーザーダイオードホルダー３、レーザーダイオード２、第１押え板５およびレーザーダイオードホルダー受け台４は一体として、第２押え板６によってハウジング１に保持された状態でハウジング１に対して相対的に移動する。
【００４２】
前記光軸位置の調整完了後、引き続き光軸の傾き調整を行う。光軸位置調整完了直後の状態から、前記光軸調整を行うための冶具であるキャッチャーによって、レーザーダイオード２の発光点を中心とする回転力をレーザーダイオードホルダー３に付与する。レーザーダイオードホルダー３およびレーザーダイオード２は、第１押え板５によってレーザーダイオードホルダー受け台４つまりハウジング１に保持された状態で、レーザーダイオードホルダー３のホルダー受け台側円柱面凸部３ａが、レーザーダイオードホルダー受け台４の円柱面凹部４ａに対して摺動する。これによりレーザーダイオード２の光軸の傾きを調整する。
【００４３】
光軸の位置および傾きの調整完了後、前記キャッチャーによる掴みを解除しても、第１押え板５および第２押え板６によって、レーザーダイオードホルダー３およびレーザーダイオードホルダー受け台４は、調整後の姿勢を保持する。この調整後の姿勢を保持した状態で、後工程である接着工程に移行する。前記接着工程において、接着剤を用いてレーザーダイオードホルダー３をレーザーダイオードホルダー受け台４に、およびレーザーダイオードホルダー受け台４をハウジング１に、共に強固に接着する。
【００４４】
以上説明した光軸調整機構によれば、押圧手段である第１押え板５および第２押え板６は、レーザーダイオード支持手段であるレーザーダイオードホルダー３とレーザーダイオードホルダー受け台４を、ハウジング１に対して移動可能に押圧して保持する。レーザーダイオードの光軸調整を行うとき、次のような作用および効果を奏する。
【００４５】
前記レーザーダイオード支持手段であるレーザーダイオードホルダー３とレーザーダイオードホルダー受け台４は、第１押え板５および第２押え板６による押圧力によって常にハウジング１に押圧されているので、ハウジング１に対して相対的に移動が可能であり、移動後もその状態を保持できる。
【００４６】
更に、レーザーダイオード２を支持し、かつ傾動可能なレーザーダイオードホルダー３と、該レーザーダイオードホルダー３を保持し、かつハウジング１の一表面部１ａに沿って移動可能なレーザーダイオードホルダー受け台４との組み合わせ構成により、レーザーダイオード２の光軸位置の調整は前記レーザーダイオードホルダー受け台４を移動させることにより達成され、該レーザーダイオード２の光軸の傾き調整は、前記レーザーダイオードホルダー３を傾動させることによって達成される。
【００４７】
よって、従来機構よりも簡単な機構で容易にレーザーダイオード２の光軸調整を行うことができ、結果、従来技術に比べて装置の組み立てに要する作業時間の短縮を図ることができる。
【００４８】
また、レーザーダイオードホルダー３には、レーザーダイオードホルダー受け台４に臨む、部分円柱状のホルダー受け台側円柱面凸部３ａが形成されているとともに、第１押え板５に臨む、部分円柱状の押え板側円柱面凸部３ｂが形成されているので、次のような作用および効果を奏する。
【００４９】
押え板側円柱面凸部３ｂは第１押え板５よって押圧保持され、ホルダー受け台側円柱面凸部３ａはレーザーダイオードホルダー受け台４に形成された円柱面凹部４ａに当接して傾動する。このように傾き調整機構部に円柱面を使用し、かつ、レーザーダイオードホルダー３をレーザーダイオードホルダー受け台４に当接した状態でレーザーダイオード２の光軸の傾き調整を行うことができるので、精度の高い傾き調整が可能となるうえ、その傾き調整後の状態を保持すべく第１押え板５よって押圧することができる。
【００５０】
また、レーザーダイオードホルダー３において、ホルダー受け台側円柱面凸部３ａと、押え板側円柱面凸部３ｂは、中心軸は等しいが曲率半径が異なる仮想円柱体の曲面に略沿って形成されている。更に詳しく説明すると次の通りである。
【００５１】
すなわち、図３に示した通り、ホルダー受け台側円柱面凸部３ａは、押え板側円柱面凸部３ｂよりも曲率半径が小さくなるように形成されていて、かつ、前記仮想円柱体と中心軸を共有する半円柱形状となっている。また、曲率半径の大きい方の押え板側円柱面凸部３ｂは、前記仮想円柱体の中心軸と平行な二つの平面にて挟まれた該円柱体の領域以外を切欠いた形状となっている。このような形状をとることにより、次のような作用および効果を奏する。
【００５２】
まず、ホルダー受け台側円柱面凸部３ａは曲率半径を小さくしているので、高精度の傾き調整に必要な半円柱面を維持したまま、摺動部分を小さく構成できる。従って、レーザーダイオードホルダー３の光軸方向の薄型化が可能となる。
【００５３】
そして、押え板側円柱面凸部３ｂは、曲率半径を大きくすることにより前記押圧手段である第１押え板５から力を受ける領域を拡大することができる。その結果、レーザーダイオードホルダー３に加わる押圧力も増大して、レーザーダイオードホルダー３をより安定に保持することが可能となる。従って、光軸の傾き調整を容易かつ迅速に行うことが可能となる。更には、押え板側円柱面凸部３ｂを、第１押え板５から力を受ける領域以外は前記円柱体を切欠いた形状にて構成することにより、小型化も達成できる。
【００５４】
図４は、本発明の第２の実施形態に係る光ピックアップ装置２０Ａにおいて、図３と同様の要部の断面図である。ただし、第１の実施形態と同一の部材には同一の符号を付し、その詳細な説明は省略する。第２の実施形態に係る光ピックアップ装置２０Ａの光軸調整機構１０Ａにおいて、レーザーダイオードホルダー受け台４は、レーザーダイオードホルダー３のホルダー受け台側円柱面凸部３ａに臨む当接面４ｂがＶ字形状に形成されている。これによって、次のような作用および効果を奏する。すなわち、前記当接面４ｂを製作する段階で曲面形状よりも簡単に製作でき、かつ、形状品質が安定しているために光軸調整機構としてレーザーダイオードの位置精度が向上する。その他、第１の実施形態と同様の作用および効果を奏する。
【００５５】
図５は、本発明の第３の実施形態に係る光ピックアップ装置２０Ｂにおいて、図３と同様の要部の断面図である。ただし、第１の実施形態と同一の部材には同一の符号を付し、その詳細な説明は省略する。第３の実施形態に係る光ピックアップ装置２０Ｂの光軸調整機構１０Ｂにおいて、レーザーダイオードホルダー受け台４は、レーザーダイオードホルダー３のホルダー受け台側円柱面凸部３ａに臨む当接面４ｃが角柱状の凹部形状に形成されている。これによって、次のような作用および効果を奏する。すなわち、ホルダー受け台側円柱面凸部３ａは前記当接面４ｃの有する２つの角に当接することにより、簡易に位置決めが可能となる。また、前記第２の実施形態と同様、前記当接面４ｃを製作する段階で曲面形状よりも簡単に製作が可能となる。その他、第１の実施形態と同様の作用および効果を奏する。
【図面の簡単な説明】
【００５６】
【図１】本発明の第１の実施形態に係る光ピックアップ装置２０の、レーザーダイオード光軸調整機構１０の周囲を拡大図示した平面図である。
【図２】図１における光ピックアップ装置２０をＸ方向から見た要部の切欠き図である。
【図３】図２における光ピックアップ装置の要部のＹ−Ｙ断面図である。
【図４】本発明の第２の実施形態に係る光ピックアップ装置２０Ａの、図３と同様の要部の断面図である。
【図５】本発明の第３の実施形態に係る光ピックアップ装置２０Ｂの、図３と同様の要部の断面図である。
【符号の説明】
【００５７】
１    ハウジング
２    レーザーダイオード
３    レーザーダイオードホルダー
４    レーザーダイオードホルダー受け台
５    第１押え板
６    第２押え板
７    ねじ
８    ねじ
９    孔部
１０,１０Ａ,１０Ｂ    光軸調整機構
２０,２０Ａ,２０Ｂ    光ピックアップ装置
【図１】
2007102927.tif 000003
【図２】
2007102927.tif 000004
【図３】
2007102927.tif 000005
【図４】
2007102927.tif 000006
【図５】
2007102927.tif 000007